(57)【要約】【課題】本発明は、記録媒体に対する適正な記録再生を行うことができるドライブ装置を提供する。【解決手段】本発明は、記録媒体を支持するとともに滑り止め用のギア部３２Ｃを有するハブ３２に装着されてハブ３２を回転駆動する回転軸４を備えたドライブ装置Ｄであって、回転軸４に設けられ、ハブ３２のギア部３２Ｃに係止される、シーソー状に揺動可能に枢支された係止アーム１０を有し、ハブ３２に回転軸４が装着された状態で、係止アーム１０の少なくともいずれか一方の端部がギア部３２Ｃへ係止される構成とした。【選択図】図４
2007164885.tif 000002
【特許請求の範囲】
【請求項１】
記録媒体を支持するとともに滑り止め用のギア部を有するハブに装着されて該ハブを回転駆動する回転軸を備えたドライブ装置であって、
前記回転軸に設けられ、前記ハブの前記ギア部に係止される係止部を備え、
前記係止部は、
シーソー状に揺動可能に枢支された係止アームを有し、
前記ハブに前記回転軸が装着された状態で、前記係止アームの少なくともいずれか一方の端部が前記ギア部へ係止されることを特徴とするドライブ装置。
【請求項２】
前記記録媒体が記録ディスクカートリッジ内に収容された記録ディスクメディアであることを特徴とする請求項１に記載のドライブ装置。
【請求項３】
前記係止アームは、凹状または三角波形状に形成された前記ギア部に係止可能であることを特徴とする請求項１または請求項２に記載のドライブ装置。
【請求項４】
前記係止アームは、前記ハブの周方向に形成された前記ギア部に係止可能であることを特徴とする請求項１から請求項３のいずれか１項に記載のドライブ装置。
【発明の詳細な説明】
【技術分野】
【０００１】
本発明は、ドライブ装置に関し、より詳しくは記録ディスクメディア等の記録媒体に対してデータの記録再生を行うことができるドライブ装置に関する。
【背景技術】
【０００２】
従来、記録媒体として、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。ここで、図９（ａ）は、従来の記録ディスクカートリッジを見下ろした様子を示す図、図９（ｂ）は、この記録ディスクカートリッジを見上げた様子を示す図である。図９（ａ）に示すように、従来の記録ディスクカートリッジ８００は、その外観が厚さの薄い略直方体であって、カートリッジケース８１０の内部に回動可能に配置されたロータリシャッタ８２０と、このロータリシャッタ８２０の内部に回転自在に配置された記録ディスクメディア８３０とを備えている。この記録ディスクカートリッジ８００では、薄さを確保するために、カートリッジケース８１０とロータリシャッタ８２０とが金属プレートに折り曲げ加工を施すことによって形成されている。
【０００４】
この記録ディスクカートリッジ８００では、図９（ｂ）に示すように、カートリッジケース８１０の下面に記録ディスクメディア８３０のハブ８３１が開口部８１０ａを通じて臨むようになっており、このハブ８３１に対して図示しないドライブ装置の回転軸が磁力等によって装着されることで記録ディスクメディア８３０が回転するようになっている。
【特許文献１】米国特許第６２５６１６８号明細書
【発明の開示】
【発明が解決しようとする課題】
【０００５】
しかしながら、従来のドライブ装置では、記録ディスクメディア８３０等の記録再生のために回転軸を回転させると、回転軸とハブ８３１との間に滑りが生じるおそれがあった。記録ディスクメディア８３０等の回転時に、このような滑りが生じると、記録ディスクメディア８３０に対する適正な記録再生が阻害されるおそれがあった。
【０００６】
そこで、本発明は、記録媒体に対する適正な記録再生を行うことができるドライブ装置を提供することを課題とする。
【課題を解決するための手段】
【０００７】
前記課題を解決する本発明は、記録媒体を支持するとともに滑り止め用のギア部を有するハブに装着されて該ハブを回転駆動する回転軸を備えたドライブ装置であって、前記回転軸に設けられ、前記ハブの前記ギア部に係止される係止部を備え、前記係止部は、シーソー状に揺動可能に枢支された係止アームを有し、前記ハブに前記回転軸が装着された状態で、前記係止アームの少なくともいずれか一方の端部が前記ギア部へ係止されることを特徴とする。
【０００８】
このドライブ装置では、ハブに設けられた滑り止め用のギア部に対して回転軸に設けられた係止部が係止され、この係止によって、回転軸の回転がハブに対して伝達されることとなり、ハブに支持された記録媒体が回転する。係止部は、シーソー状に揺動可能に枢支された係止アームを有し、ハブに回転軸が装着された状態で、係止アームの少なくともいずれか一方の端部がギア部へ係止されるようになっているので、係止アームの揺動を利用したギア部と係止アームとの柔軟な係止を実現することができる。
つまり、仮に、回転軸に対して係止部が固定された構造であるとすると、ハブに回転軸が装着されたときの状態によっては、ハブのギア部に係止部が乗り上げて、ギア部と係止部とがうまく係止されないという状態になるおそれがある。
【０００９】
これに対し、本発明では、シーソー状に揺動可能に枢支された係止アームの少なくともいずれか一方の端部がギア部に係止されるようになっているので、ハブに回転軸が装着される際に、仮に、一方の端部がギア部に乗り上げる状況となっても、係止アームの揺動により他方の端部がギア部へ係止されることとなり、ギア部と係止アームとの係止がうまく行われることとなる。したがって、回転軸の回転がハブに対して滑ることなく伝達されることとなり、ハブに支持された記録媒体の正常な回転動作を実現することができる。これにより、記録媒体に対する適正な記録再生を行うことができる。
【００１０】
また、前記記録媒体が記録ディスクカートリッジ内に収容された記録ディスクメディアであるときに、記録ディスクカートリッジの記録ディスクメディアに対する記録再生において、前記作用効果を奏することができる。
【００１１】
さらに、前記係止アームは、凹状または三角波形状に形成された前記ギア部に係止可能である構成とするのがよく、また、前記ハブの周方向に形成された前記ギア部に係止可能である構成とするのがよい。
【００１２】
このような構成とすることにより、係止アームとギア部とのより一層確実な係止を実現することができ、ハブに支持された記録媒体の正常な回動動作を実現することができる。また、係止アームが、ハブの周方向に形成されたギア部に係止可能である構成とすることにより、ハブの周方向のいずれの位置においても係止アームがギア部に係合するようになり、記録媒体の正常な回転動作を実現することができる。
【発明の効果】
【００１３】
本発明のドライブ装置によれば、記録媒体に対する適正な記録再生を行うことができる。
【発明を実施するための最良の形態】
【００１４】
本発明を実施するための最良の形態について図面を参照して詳細に説明する。
次に、本発明を実施するための最良の形態について、適宜図面を参照しながら説明する。参照する図面において、図１は本実施形態に係るドライブ装置を上方から見下ろした斜視図である。図２はこのドライブ装置に装着されて使用される記録ディスクカートリッジの記録ディスクメディアを下側から見上げたときの分解斜視図である。図３はハブを示す図であり、（ａ）はハブを下側から見上げたときの斜視図、（ｂ）は図３（ａ）のｂ−ｂ断面図である。なお、本実施形態において方向を説明する場合は、図１に示す前、後、右、左、上、下を基準として説明する。また、図１中、ドライブ装置の外観は実線で示し、内部構造は破線で示している。そして、図１には、ドライブ装置に装着する記録ディスクカートリッジをともに描いている。
【００１５】
まず、本実施形態に係るドライブ装置についての説明に先立ち、ドライブ装置に装着されて使用される記録ディスクカートリッジについて簡単に説明する。
【００１６】
図１に示すように、記録ディスクカートリッジ１００は、カートリッジケース１１０と、このカートリッジケース１１０の内部に回動可能に配置されたロータリシャッタ１２０と、このロータリシャッタ１２０の内部に回転自在に配置された記録ディスクメディアＤＭとを主に備えて構成されている。
【００１７】
カートリッジケース１１０は、薄型の箱状体であって、ドライブ装置ＤのカートリッジスロットＤＳに挿入される側に、くさび状に切り欠かれたアクセス用開口部１１１を有している。このアクセス用開口部１１１を介して、後記するドライブ装置Ｄのヘッド５が記録ディスクメディアＤＭにアクセスすることとなる。
カートリッジケース１１０の下面には、その左側寄りに円弧状のガイド溝１１２が穿設されている。このガイド溝１１２は、後記するロータリシャッタ１２０のシャッタノブ１２２の軌道に沿うように所定の曲率で形成されている。
【００１８】
ロータリシャッタ１２０は、その外形が略円盤形状を有する中空構造体であって、カートリッジケース１１０のアクセス用開口部１１１と略同形状のくさび状の切欠部１２１を有している。このロータリシャッタ１２０は、カートリッジケース１１０に回動自在に取り付けられている。そして、ロータリシャッタ１２０の下面には、シャッタノブ１２２が突設されている。このシャッタノブ１２２は、カートリッジケース１１０のガイド溝１１２を介して、記録ディスクカートリッジ１００の下面から突き出ている。
【００１９】
このような記録ディスクカートリッジ１００では、ドライブ装置Ｄに装着される前にあっては、ロータリシャッタ１２０が閉位置に配置される。つまり、ロータリシャッタ１２０の切欠部１２１とカートリッジケース１１０のアクセス用開口部１１１とがずれて配置される。このときシャッタノブ１２２は、カートリッジケース１１０のガイド溝１１２の後側に位置する。
そして、シャッタノブ１２２がガイド溝１１２内を前側に向かって円弧状の軌道を描きながら移動すると、この移動に伴って、ロータリシャッタ１２０は回動する。このようにロータリシャッタ１２０が回動してカートリッジケース１１０のアクセス用開口部１１１とロータリシャッタ１２０の切欠部１２１とが重なり合うことで、記録ディスクメディアＤＭが外部に臨むこととなる。つまり、ロータリシャッタ１２０は、開位置に配置される。このときシャッタノブ１２２は、カートリッジケース１１０のガイド溝１１２の前側に位置する。
【００２０】
また、記録ディスクカートリッジ１００がドライブ装置Ｄに装着される際には、後記するようにシャッタノブ１２２がガイド溝１１２内を前側に向かって円弧状の軌道を描きながら移動する。そして、この移動に伴って、ロータリシャッタ１２０が回動することでカートリッジケース１１０のアクセス用開口部１１１とロータリシャッタ１２０の切欠部１２１とが重なり合う。その結果、記録ディスクメディアＤＭが外部に臨むこととなる。つまり、ロータリシャッタ１２０は、開位置に配置されて、後記するドライブ装置Ｄのヘッド５が記録ディスクメディアＤＭにアクセス可能となる。このときシャッタノブ１２２は、カートリッジケース１１０のガイド溝１１２の前側に位置する。そして、後記するドライブ装置Ｄのスピンドルモータ３の回転軸４が記録ディスクメディアＤＭのハブ３２（図２，図３参照）に装着されることで、記録ディスクメディアＤＭが回転可能となる。
【００２１】
記録ディスクメディアＤＭは、データを記録する記録媒体であり、図２に示すように、フレキシブルディスク３１と、このフレキシブルディスク３１を支持するハブ３２とを備えて構成されている。
【００２２】
フレキシブルディスク３１は、例えば、ポリエステルシート等からなる円盤状の支持体の両面に磁性層等の記録層を形成したものである。
【００２３】
ハブ３２は、フレキシブルディスク３１を支持する合成樹脂製の円盤状部材であり、図２及び図３に示すように、中心部に孔３２ａが形成されている。この孔３２ａは、図２に示すように、フレキシブルディスク３１の中心部に形成された孔３１ａに連通する。また、ハブ３２は、図３（ｂ）に示すように、上面にフレキシブルディスク３１が接着等により取り付けられる平坦状の取付部３２Ａを備えるとともに、下面にドライブ装置Ｄの回転軸４（図１，図４参照）が装着される平坦状のチャック部３２Ｂを備えている。
【００２４】
ハブ３２のチャック部３２Ｂには、ドライブ装置Ｄの回転軸４のマグネットＭ（図４参照）が吸着される金属製の吸着部３２Ｄが、インサート成形により一体的に形成されている。また、ハブ３２の下部には、回転軸４の後記する係止アーム１０の端部に設けられた歯状部１０ｂ，１０ｃ（図４参照、以下同様）が係止される、滑り止め用の環状のギア部３２Ｃ（三角波形状）が一体的に設けられている。ギア部３２Ｃは、チャック部３２Ｂが設けられた部位よりも内側となる部位に設けられており、これによって、チャック部３２Ｂに装着される回転軸４のマグネットＭ（図４参照）に干渉しない構造となっている。つまり、ハブ３２に回転軸４が装着されると、ハブ３２のギア部３２Ｃには、回転軸４の係止アーム１０の両端部（歯状部１０ｂ，１０ｃ）がそれぞれ位置するようになっている。そのための位置合わせの構成として、ハブ３２の前記孔３２ａに対して、回転軸４の中央部に設けられた後記する円柱状の位置規制部材１１が挿入可能となっている。
【００２５】
次に、本実施形態に係るドライブ装置Ｄについて説明する。
図１に示すように、ドライブ装置Ｄは、平面視で矩形の薄型の箱状体であって、その前側に記録ディスクカートリッジ１００を受け入れるカートリッジスロットＤＳが形成されている。そして、ドライブ装置Ｄの後端には下面側に複数の端子９が設けられている。この端子９は、ドライブ装置Ｄが着脱自在に取り付けられた電子機器（図示省略）との間で電気的な接続を確立するものである。ドライブ装置Ｄは、この端子９を介して、記録ディスクメディアＤＭと、電子機器との間での情報の受け渡し、および受け取りを行うこととなる。そして、この端子９を介してドライブ装置Ｄに電力が供給されることとなる。ちなみに、電子機器としては、ＣＰＵ（Central Processing Unit）やメモリを備えたものであれば特に制限はなく、例えば、パーソナルコンピュータ、プリンタ、複写機等の事務機器、デジタルカメラ、テレビ、録音装置、録画装置、冷蔵庫、電子レンジ等の家電製品が挙げられる。
【００２６】
このようなドライブ装置Ｄは、ケーシング１と、ドライブ装置Ｄに装着された記録ディスクメディアＤＭを高速回転させるスピンドルモータ３と、記録ディスクメディアＤＭに対する情報（磁気情報）の記録および再生を行うヘッド５と、このヘッド５を先端に取り付けるとともに支軸６の周りに揺動してヘッド５を記録ディスクメディアＤＭの半径方向に移動させるスイングアームＳＡと、スイングアームＳＡを所定の揺動角で位置決めするアクチュエータ７と、を主に備えている。
【００２７】
ケーシング１は、ドライブ装置Ｄの略外形を構成しており、その内部に後記する各部品を格納する略直方体の収容空間２を有している。このケーシング１は、本体１ａと蓋体１ｂとから構成されている。
本体１ａは、上方に開口した前記収容空間２を形成するものである。蓋体１ｂは、本体１ａの開口を覆うように組み付けられるものである。
【００２８】
スピンドルモータ３は、本体１ａの底面であって、ドライブ装置Ｄに装着された記録ディスクカートリッジ１００の記録ディスクメディアＤＭと対応する位置に配置されている。このスピンドルモータ３の回転軸４は、記録ディスクメディアＤＭのハブ３２（図４参照）に装着されるようになっている。回転軸４の詳細は後記する。
【００２９】
スイングアームＳＡは、本体１ａの底面に対して略平行となるように支軸６から延びている。このスイングアームＳＡは、一対で構成されており、各スイングアームＳＡは、上下方向に所定の間隔を空けてスタックされている。このようなスイングアームＳＡのそれぞれの先端には、前記したようにヘッド５が取り付けられている。そして、各スイングアームＳＡは、装着された記録ディスクカートリッジ１００に向かって揺動した際に、記録ディスクカートリッジ１００のアクセス用開口部１１１で臨む記録ディスクメディアＤＭを挟み込むことで、各ヘッド５を記録ディスクメディアＤＭの表裏にアクセスさせるようになっている。
【００３０】
アクチュエータ７は、ボイスコイルモータで構成されており、スイングアームＳＡを支軸６周りに揺動させることで、ヘッド５を記録ディスクメディアＤＭの所定の位置に位置決めするようになっている。ちなみに、アクチュエータ７は、ドライブ装置Ｄに記録ディスクカートリッジ１００が装着されていない場合に、スイングアームＳＡをランプ部８に待機させている。
【００３１】
図４に示すように、回転軸４は、マグネットＭと、係止部としての係止アーム１０と、位置規制部材１１とを主に備えて構成されている。マグネットＭは、記録ディスクメディアＤＭのハブ３２に設けられたチャック部３２Ｂの吸着部３２Ｄに磁力により吸着するようになっている。係止アーム１０は、支持部１０ａによって回転軸４の中央部においてシーソー状に揺動可能に枢支されており、ハブ３２に回転軸４が装着された状態で、係止アーム１０の少なくともいずれか一方の端部がハブ３２のギア部３２Ｃへ係止されるようになっている。本実施形態では、係止アーム１０の両端部に、ギア部３２Ｃに対応した三角歯状の歯状部１０ｂ，１０ｃを形成している。
位置規制部材１１は、回転軸４の中央部においてハブ３２の孔３２ａに挿入可能な大きさに形成されており、ハブ３２と回転軸４との位置合わせを行う役割を果たす。つまり、ハブ３２に回転軸４が装着される際に、ハブ３２の孔３２ａに位置規制部材１１が挿入され、ハブ３２のギア部３２Ｃに対して係止アーム１０の歯状部１０ｂ，１０ｃがそれぞれ位置するように装着位置が所定位置に修正されるようになっている。
【００３２】
なお、図４に示すように、ギア部３２Ｃの開口縁部３２Ｅおよび回転軸４の位置規制部材１１の上端周縁部１１ａは、ともに面取りされており、孔３２ａに対して位置規制部材１１がスムーズに挿入されるように構成されている。
【００３３】
次に、このようなハブ３２と係止アーム１０を備えた回転軸４との装着時の動作について適宜図面を参照しながら説明する。参照する図面において、図５はハブと回転軸との装着時の動作を説明するための図であり、（ａ）はハブのギア部と係止アームとの位置関係を示す底面図、（ｂ）及び（ｃ）は係止アームとギア部との係止状態を示す側面図、（ｄ）はハブと回転軸との装着状態を示す断面図である。なお、図５（ａ）（ｂ）（ｃ）では、回転軸側は係止アームのみを図示した。
【００３４】
図５各図に示した装着例では、係止アーム１０の両端の歯状部１０ｂ，１０ｃのうち、一方の歯状部１０ｂのみがギア部３２Ｃに係止されてハブ３２に回転軸４が装着されたときの状態を示している。
【００３５】
装着時に、ハブ３２に回転軸４が近づいていくと、ハブ３２の孔３２ａに回転軸４の位置規制部材１１が挿入され、ハブ３２と回転軸４との位置関係が所定の位置となるように位置決めされる。つまり、図５（ａ）に示すように、係止アーム１０の両端の歯状部１０ｂ，１０ｃが、ハブ３２のギア部３２Ｃに対してそれぞれ係止可能な状態となるように対向位置が修正される。
【００３６】
その後、図５（ｄ）に示すように、ハブ３２のチャック部３２Ｂの吸着部３２Ｄに、回転軸４のマグネットＭが吸着してハブ３２に回転軸４が装着される。このとき、図５（ｃ）に示すように、ギア部３２Ｃの山部に、係止アーム１０の一方の歯状部１０ｃが乗り上げる状態となっても、係止アーム１０がシーソー状に揺動可能に設けられていることから、図５（ｄ）に示すように、係止アーム１０の反対側となる他方の歯状部１０ｂがギア部３２Ｃに向かう方向に係止アーム１０が揺動することとなり、図５（ｂ）にも示すように、この突出した歯状部１０ｂがギア部３２Ｃの谷部に噛み合った状態となって係止される。つまり、一方の歯状部１０ｃがギア部３２Ｃの山部に乗り上げる状況となっても、揺動によって他方の歯状部１０ｂがギア部３２Ｃへ向けて突出する状態となってこれに係止されることとなり、結果的にギア部３２Ｃと係止アーム１０との係止がうまく行われることとなる。これによって、回転軸４の回転がハブ３２に対して滑ることなく伝達されることとなり、ハブ３２に支持された記録ディスクメディアＤＭの正常な回転動作を実現することができるようになる。
【００３７】
次に、図６はハブと回転軸との装着時のその他の動作を説明するための図であり、（ａ）はハブのギア部と係止アームとの位置関係を示す底面図、（ｂ）（ｃ）は係止アームとギア部との係止状態を示す側面図、（ｄ）はハブと回転軸との装着状態を示す断面図である。なお、図６（ａ）（ｂ）（ｃ）では、回転軸側は係止アームのみを図示した。
【００３８】
図６各図に示した装着例では、係止アーム１０の両端の歯状部１０ｂ，１０ｃがともにギア部３２Ｃに係止されてハブ３２に回転軸４が装着されたときの状態を示している。つまり、ハブ３２に回転軸４が装着される際に、係止アーム１０の両端の歯状部１０ｂ，１０ｃがともにギア部３２Ｃの谷部に入り込む位置関係となったときには、歯状部１０ｂ，１０ｃがともにギア部３２Ｃに係止されることとなる。このとき、図６（ｄ）に示すように、係止アーム１０は、前記例のような揺動はせずに、略水平状態に保持されることとなる。
【００３９】
この図６各図に示した装着例では、係止アーム１０の歯状部１０ｂ，１０ｃがともにギア部３２Ｃに係止されることとなるので、ギア部３２Ｃと係止アーム１０との係止がより一層うまく行われることとなる。これによって、回転軸４の回転がハブ３２に対して滑ることなく伝達されることとなり、ハブ３２に支持された記録ディスクメディアＤＭの正常な回転動作を実現することができる。
【００４０】
なお、ハブ３２と回転軸４との装着状態としては、実際には図５と図６の中間的な状態になる場合もあるが、この場合でも、係止アーム１０の歯状部１０ｂと歯状部１０ｃのうち少なくとも一方が必ずギア部３２Ｃに係止されるので、回転軸４の回転がハブ３２に対して滑ることなく確実に伝達されることとなる。
【００４１】
以上説明した本実施形態のドライブ装置Ｄによれば、回転軸４は、シーソー状に揺動可能に枢支された係止アーム１０を有し、ハブ３２に回転軸４が装着された状態で、係止アーム１０の少なくともいずれか一方の歯状部１０ｂ，１０ｃがギア部３２Ｃへ係止されるようになっているので、係止アーム１０の揺動を利用したギア部３２Ｃと係止アーム１０との柔軟な係止を実現することができる。
つまり、仮に、回転軸４に対してこのような係止アーム１０が設けられておらず、係止部分が固定された構造となっているとすると、ハブ３２に回転軸４が装着されたときの状態によっては、ハブ３２のギア部３２Ｃに係止部分が乗り上げて、ギア部３２Ｃと係止部分とがうまく係止されないという状態になるおそれがある。
【００４２】
これに対し、本実施形態では、係止アーム１０がシーソー状に揺動可能に枢支され、少なくともいずれか一方の歯状部１０ｂ，１０ｃがギア部３２Ｃに係止されるようになっているので、ハブ３２に回転軸４が装着される際に、仮に、一方の歯状部１０ｃがギア部３２Ｃの山部に乗り上げる状況となっても、係止アーム１０の揺動により他方の歯状部１０ｃがギア部３２Ｃへ突出して係止されることとなり、ギア部３２Ｃと係止アーム１０との係止がうまく行われることとなる。したがって、回転軸４の回転がハブ３２に対して滑ることなく伝達されることとなり、ハブ３２に支持された記録ディスクメディアＤＭの正常な回転動作を実現することができる。これにより、記録ディスクメディアＤＭに対する適正な記録再生を行うことができる。
【００４３】
さらに、ギア部３２Ｃは三角波形状に形成され、係止アーム１０の歯状部１０ｂ，１０ｃは、ギア部３２Ｃに係止可能に三角歯状に形成されているので、係止アーム１０とギア部３２Ｃとの確実な係止を実現することができ、ハブ３２に支持された記録ディスクメディアＤＭの正常な回動動作を実現することができる。また、ギア部３２Ｃは、ハブ３２の周方向に形成されているので、ハブ３２の周方向のいずれの位置においても係止アーム１０の歯状部１０ｂ，１０ｃがギア部３２Ｃに係止するようになり、記録ディスクメディアＤＭの正常な回転動作を実現することができる。
【００４４】
以上、本発明の好適な実施形態について説明したが、本発明は前記実施形態に限定されるものではない。
例えば、図７各図に示すように、ギア部３２Ｃは、凹状（凸部３２Ｃｃおよび凹部３２Ｃｂからなる形状）に形成してもよく、また、係止アーム１０の両端の歯状部１０ｂ，１０ｃをこの凹状に係止可能な角形状に形成してもよい。
図７各図では、係止アーム１０の歯状部１０ｂ，１０ｃのうち、一方の歯状部１０ｂのみがギア部３２Ｃに係止されてハブ３２に回転軸４が装着されたときの状態を示している。
【００４５】
図７（ｄ）に示すように、ハブ３２に回転軸４が装着された状態で、図７（ｃ）に示すように、ギア部３２Ｃの凸部３２Ｃｃに、係止アーム１０の一方の歯状部１０ｃが乗り上げる状態となっても、係止アーム１０がシーソー状に揺動可能に設けられていることから、図７（ｄ）に示すように、係止アーム１０の反対側となる他方の歯状部１０ｂがギア部３２Ｃに向かう方向に係止アーム１０が揺動することとなり、図７（ｂ）にも示すように、この突出した歯状部１０ｂがギア部３２Ｃの凹部３２Ｃｂに噛み合った状態となって係止される。つまり、この場合も、一方の歯状部１０ｃがギア部３２Ｃの凸部３２Ｃｃに乗り上げる状況となっても、揺動によって他方の歯状部１０ｂがギア部３２Ｃへ向けて突出する状態となって凹部３２Ｃｂに係止されることとなり、結果的にギア部３２Ｃと係止アーム１０との係止がうまく行われることとなる。これによって、回転軸４の回転がハブ３２に対して滑ることなく伝達されることとなり、ハブ３２に支持された記録ディスクメディアＤＭの正常な回転動作を実現することができる。
しかも、歯状部１０ｂと凹部３２Ｃｂとの噛み合いは、噛み合う面が垂直面同士の噛み合いとなるので、滑りが生じにくくなり、回転軸４の回転がハブ３２に対して滑ることなく、より確実に伝達されることとなり、ハブ３２に支持された記録ディスクメディアＤＭの正常な回転動作を実現することができる。
【００４６】
また、図８各図に示すように、ハブ３２に回転軸４が装着される際に、係止アーム１０の両端の歯状部１０ｂ，１０ｃがともにギア部３２Ｃの凹部３２Ｃｂに入り込む位置関係となったときには、歯状部１０ｂ，１０ｃがともにギア部３２Ｃに対して係止されることとなり、回転軸４の回転がハブ３２に対して滑ることなく伝達されて、ハブ３２に支持された記録ディスクメディアＤＭの正常な回転動作が実現される。
なお、前記図７各図に示した装着例においても、回転軸４が回転を開始すると、ハブ３２のギア部３２Ｃに対する係止アーム１０の歯状部１０ｂ，１０ｃの位置がずれて、凸部３２Ｃｃに乗り上げていた歯状部１０ｃが凹部３２Ｃｂに入り込むこととなり、結果として、図８各図に示した装着例のように、係止アーム１０の歯状部１０ｂ，１０ｃがともにギア部３２Ｃに係止されるようになる。これにより、回転軸４の回転がハブ３２に対して滑ることなく確実に伝達されることとなる。
【００４７】
また、前記実施形態では、ハブ３２にギア部３２Ｃを一体的に形成したが、別体で形成してこれを組み付けてもよい。また、ハブ３２とギア部３２Ｃとを異なる材料で構成して、インサート成形やその他の方法によりこれを一体的に組み付けてもよい。
【００４８】
また、前記実施形態では、ハブ３２にギア部３２Ｃを設け、回転軸４に係止アーム１０を設けた構成としたが、これに限られることはなく、ハブ３２に係止アーム１０をシーソー状に揺動可能に設けるとともに、回転軸４にギア部３２Ｃを設けた構成としてもよい。この場合にも、回転軸４の回転がハブ３２に対して滑ることなく伝達されることとなり、ハブ３２に支持された記録ディスクメディアＤＭの正常な回転動作を実現することができる。
【００４９】
さらに、前記実施形態では、記録媒体として記録ディスクメディアＤＭを例にして説明したが、これに限られることはなく、互いにチャッキングして回転方向の滑りを防止する必要のあるドライブ装置の回転軸とセンタコア等のハブ、例えば、テープ状記録媒体のテープ巻芯とドライブ回転軸等との回転力の伝達機構に適用することができる。
【図面の簡単な説明】
【００５０】
【図１】本実施形態に係るドライブ装置を上方から見下ろした斜視図である。
【図２】本実施形態に係るドライブ装置に装着されて使用される記録ディスクカートリッジの記録ディスクメディアを下側から見上げたときの分解斜視図である。
【図３】（ａ）はハブを下側から見上げたときの斜視図、（ｂ）は図３（ａ）のｂ−ｂ断面図である。
【図４】ハブと回転軸との装着説明図である。
【図５】ハブと回転軸との装着時の動作を説明するための図であり、（ａ）はハブのギア部と係止アームとの位置関係を示す底面図、（ｂ）（ｃ）は係止アームとギア部との係止状態を示す側面図、（ｄ）はハブと回転軸との装着状態を示す断面図である。
【図６】ハブと回転軸との装着時のその他の動作を説明するための図であり、（ａ）はハブのギア部と係止アームとの位置関係を示す底面図、（ｂ）（ｃ）は係止アームとギア部との係止状態を示す側面図、（ｄ）はハブと回転軸との装着状態を示す断面図である。
【図７】変形例に係るハブと回転軸との装着時の動作を説明するための図であり、（ａ）はハブのギア部と係止アームとの位置関係を示す底面図、（ｂ）（ｃ）は係止アームとギア部との係止状態を示す側面図、（ｄ）はハブと回転軸との装着状態を示す断面図である。
【図８】変形例に係るハブと回転軸との装着時のその他の動作を説明するための図であり、（ａ）はハブのギア部と係止アームとの位置関係を示す底面図、（ｂ）（ｃ）は係止アームとギア部との係止状態を示す側面図、（ｄ）はハブと回転軸との装着状態を示す断面図である。
【図９】（ａ）は、従来の記録ディスクカートリッジを見下ろした様子を示す図、（ｂ）は、この記録ディスクカートリッジを見上げた様子を示す図である。
【符号の説明】
【００５１】
１      ケーシング
３      スピンドルモータ
４      回転軸
５      ヘッド
１０    係止アーム
１０ａ  支持部
１０ｂ  歯状部
１０ｃ  歯状部
１１    位置規制部材
３１    フレキシブルディスク
３２    ハブ
３２Ｂ  チャック部
３２Ｃ  ギア部
３２Ｃｂ  凹部
３２Ｃｂ  凹部
３２Ｃｃ  凸部
３２Ｄ  吸着部
１００  記録ディスクカートリッジ
１１０  カートリッジケース
１１１  アクセス用開口部
Ｄ      ドライブ装置
ＤＭ    記録ディスクメディア
【図１】
2007164885.tif 000003
【図２】
2007164885.tif 000004
【図３】
2007164885.tif 000005
【図４】
2007164885.tif 000006
【図５】
2007164885.tif 000007
【図６】
2007164885.tif 000008
【図７】
2007164885.tif 000009
【図８】
2007164885.tif 000010
【図９】
2007164885.tif 000011